(57)【要約】【課題】調圧膜を水が覆うことにより生じる内圧調整機能障害からの速やかな回復を行う。【解決手段】開口穴１２を覆うように筐体１０にカバー１８を取り付け、開口穴１２とカバー１８との間に、開口穴１２と同心の円周上に形成された円弧状部１６ａを有しカバー１８が接するように配設される溝エッジ部１６ｃと、円弧状部１６ａと対向する位置に形成され、筐体１０とカバー１８との間に形成された適宜間隔の隙間２０に連通する開口部１６ｂと、を有する溝１６を形成する。【選択図】  図１
2004319548.tif 000002
【特許請求の範囲】
【請求項１】
筐体に形成された開口穴に機器の内圧を調整するために貼り付けられる調圧膜の排水機構において、
前記開口穴を覆うように前記筐体にカバーが取り付けられており、
前記開口穴と前記カバーとの間には、前記開口穴と同心の円周上に形成された円弧状部を有しカバーが適宜間隔の隙間を持って接するように配設される溝エッジ部と、円弧状部と対向する位置に形成され、筐体とカバーとの間に形成された適宜間隔の隙間に連通する開口部とを有する溝が形成されることを特徴とする調圧膜の排水機構。
【請求項２】
前記開口穴の円周は、筐体の外部に向かうに従って傾斜を有して拡径する斜面を備えていることを特徴とする請求項１記載の調圧膜の排水機構。
【発明の詳細な説明】
【０００１】
【発明の属する技術分野】
本発明は、防水機能を持つ通信機器における調圧膜の排水機構に関するものである。
【０００２】
【従来の技術】
従来の携帯端末機においては、どのような環境下でも使用可能なように防水機能を備えたものが多く、その一例を次に示す。
【０００３】
例えば、音響用の貫通穴を塞ぐために機器ケースの内側に貫通穴を塞ぐように防水膜を設け、防水膜の変形を規制するために通気性を有する保護部材を防水膜の内側に配設したものがある（例えば、特許文献１参照）。
【０００４】
また、ケースに形成された放音孔を閉じる防水膜を備えており、ケースには、放音孔を覆って外方へ膨出する曲面形状部のカバーを取り付けたものがある（例えば、特許文献２参照）。
【０００５】
また、耐油性が良好なゴム材料を主成分とするＯリングを２本配置し、その間に耐熱性、耐寒性及び水分と湿気に対する抵抗性に優れるオイル材料を注入充填し、サンドイッチ構成とすることで、防水性能及び防湿性能を長期間維持するものがある（例えば、特許文献３参照）。
【０００６】
また、シリコン材等ゴムを成形したシートにより、樹脂、ゴム材等のキーボタンと機器のケース上面のキーパネルの間から、スイッチを有する電気回路パネルへの水等の液体や粉塵の浸入を遮断するものがある（例えば、特許文献４参照）。
【０００７】
このような防水機能のために密閉された機器が、気温の変化により内圧変動が生じると、音響部品（主にスピーカ）の振動膜が圧力で変形し、正常に動作せず、通信障害が発生する。このため、内圧変動による機器の機能障害を防ぎつつ防水機能を満足させるために、通気性があり、水を通さない調圧膜を機器に形成した開口穴に設ける方法が一般に採用されている。
【０００８】
【特許文献１】
特開２００１−１２８２７２号公報（要約）
【特許文献２】
特開２００２−０１６３７４号公報（要約）
【特許文献３】
特開２００２−０３９３９０号公報（要約）
【特許文献４】
特開２００１−０４３７６８号公報（要約）
【０００９】
【発明が解決しようとする課題】
しかしながら、従来のものでは、調圧膜が水で覆われてしまうと、空気の流通が阻害され、内圧調整が機能しなくなる。このため、急激な気温の変化を伴う水没後、機器を取り上げた直後には、内圧変動及び調圧膜の機能障害が同時に起こり、その結果、機器の通信障害が起こる可能性がある。この通信障害は、調圧膜を覆う水が乾燥するか、人為的に取り除かれるまで回復しないため、警察や消防など、主に災害や火事等の緊急時に使用される通信機器においては、通信障害後の機能回復に時間がかかるという現象は大きな問題となる可能性がある。
【００１０】
本発明は、上記のような従来の課題を解決するためになされたものであり、防水機能を有する携帯端末機に利用され、表面張力を利用した排水構造と調圧膜の機械的保護とを兼ね備え、調圧膜を水が覆うことにより生じる内圧調整機能障害からの速やかな回復を実現する調圧膜の排水機構を提供することを目的とする。
【００１１】
【課題を解決するための手段】
上述した課題を解決するため、本発明は、筐体に形成された開口穴に機器の内圧を調整するために貼り付けられる調圧膜の排水機構において、前記開口穴を覆うように前記筐体にカバーが取り付けられており、前記開口穴と前記カバーとの間には、前記開口穴と同心の円周上に形成された円弧状部を有しカバーが適宜間隔の隙間を持って接するように配設される溝エッジ部と、円弧状部と対向する位置に形成され、筐体とカバーとの間に形成された適宜間隔の隙間に連通する開口部と、を有する溝が形成されることを特徴とするものである。
【００１２】
また、本発明の調圧膜の排水機構において、前記開口穴の円周は、筐体の外部に向かうに従って傾斜を有して拡径する斜面を備えていることを特徴とするものである。
【００１３】
【発明の実施の形態】
以下、本発明の実施の形態を図面を用いて説明する。
図１に本発明の実施の形態の分解斜視図を、図２に外観図を、図３に図２の３−３断面図をそれぞれ示す。
【００１４】
筐体１０には、通気用の開口穴１２が形成されており、開口穴１２の円周は、筐体１０の外部に向かうに従って傾斜を有して拡径する斜面１２ａを備えている。この斜面１２ａにより、開口穴１２内に侵入した水を後述する表面張力により、効率良く開口穴１２外へ排水することが可能となる。
【００１５】
開口穴１２には、機器の内圧を調整するための調圧膜１４が筐体１０の内側から両面テープもしくはゴム等のサポータにより貼り付けられ固定されている。
【００１６】
また、筐体１０には、開口穴１２と同心の円周上に形成された円弧状部１６ａを有する溝エッジ部１６ｃと、円弧状部１６ａと対向する位置に形成された開口部１６ｂとを有する略「Ｕ」字状のＵ字溝１６が形成されており、開口穴１２を含むＵ字溝１６全体を覆うように、筐体１０にカバー１８が取り付けられている。
【００１７】
カバー１８は、Ｕ字溝１６の開口部１６ｂと連通する位置に外部まで連通する隙間２０を筐体１０との間で形成しており、溝エッジ部１６ｃとは適宜間隔の隙間を持って接するように配設されている。
【００１８】
このように、カバー１８と溝エッジ部１６ｃとが適宜間隔の隙間を持って接するように配設されるため、カバー１８と溝エッジ部１６ｃとの間に表面張力が働き、Ｕ字溝１６内に侵入した水を外に吸い出すことが可能になる。
【００１９】
また、溝エッジ部１６ｃに開口穴１２と同心状の円弧状部１６ａを形成することにより、カバー１８との間に働く表面張力を開口穴１２と同心の円周上に発生させることができ、開口穴１２に対して均等に表面張力が働き、効果的に水を吸い出すことが可能になる。
【００２０】
さらには、隙間２０を設けることにより、開口部１６ｂ付近の水の表面張力を弱めることができるため、開口部１６ｂ付近の水を最初に排水することが可能となるとともに、排水後に、Ｕ字溝１６内に空気を送り込むことができる。
【００２１】
次に、図４のＡ部における排水の過程を示す図５、図６、図７（ａ）、（ｂ）、（ｃ）、（ｄ）、（ｅ）、図８に基づいて作用について説明する。なお、図５、図６、図７（ａ）、（ｂ）、（ｃ）、（ｄ）、（ｅ）及び図８中ハッチングは水を示し、カバー１８は図示を省略している。
【００２２】
図５に示されるように、機器を水から引き上げた直後は、カバー１８内全体に水が浸入している。
まず、図６に示されるように、隙間２０（図３参照以下同じ）により開口部１６ｂ付近の水の表面張力が弱められているため、隙間２０を通って開口部１６ｂ付近の水がカバー１８（図３参照以下同じ）内から排水される。
次に、図７（ａ）に示されるように、隙間２０を通って開口部１６ｂからＵ字溝１６内に空気が入り込み、これと同時に、カバー１８と溝エッジ部１６ｃとの間に働く表面張力により、Ｕ字溝１６内の水が図７（ａ）中矢印で示される方向に吸い出される。このとき、開口穴１２と同心の円周上にある円弧状部１６ａとカバー１８との間に表面張力が発生するため、開口穴１２に対して均等に表面張力が働き、開口穴１２内の水が、斜面１２ａを伝って効率よく排水されていく。この後、隙間２０を通って開口部１６ｂからＵ字溝１６内に入り込む空気は、図７（ｂ）、（ｃ）、（ｄ）、（ｅ）に示される順に増大し、開口穴１２及びＵ字溝１６内の水が、矢印で示される方向に吸い出されていく。
最後に、図８に示されるように、開口穴１２及びＵ字溝１６内の水が完全に吸い出され、排水が完了する。
【００２３】
なお、前記実施の形態においては、Ｕ字溝１６を筐体１０に形成したが、カバー１８に設けても良い。
【００２４】
また、Ｕ字溝１６の方向は、前記実施の形態に限定されるものではなく、Ｕ字溝１６の開口部１６ｂと隙間２０とが連通し同一部位に配設されれば、どの方向に設けても良い。
【００２５】
【発明の効果】
以上説明したように、本発明（請求項１）によれば、機器が水没し、水から引き上げたとき、隙間によって表面張力が弱められた開口部付近の水がまず隙間から排水され、ついで、隙間を通って開口部から溝内に送り込まれる空気と、カバーと溝エッジ部との間に働く表面張力とにより、溝内の水が吸い出され、開口穴と同心円周上に形成した円弧状部の働きにより開口穴に均等に表面張力が働き、開口穴内の水が吸い出されるため、調圧膜から速やかに水が除去される。
これにより、水の滞留による調圧膜の機能障害を防止し、通信機能障害からの速やかな回復を行うことができる。また、水没等が考えられる苛酷な環境下にであっても、長時間の通信障害を発生させることなく、緊急時においても安定して使用することが可能になる。
さらには、カバーにより調圧膜を完全に覆うため、調圧膜の機械的損傷を防ぐことができる。
【００２６】
また、本発明（請求項２）によれば、筐体の外部に向かうに従って傾斜を有して拡径する斜面を開口穴の円周に形成することにより、開口穴に表面張力が作用した際に、開口穴から効率的に水を排水することができる。
【図面の簡単な説明】
【図１】本発明の実施の形態の分解斜視図である。
【図２】本発明の実施の形態の外観図である。
【図３】図２の３―３断面図である。
【図４】筐体の正面図である。
【図５】機器を自ら引き上げた直後の図４のＡ部の様子を示す図である。
【図６】開口部付近の水が排水された図４のＡ部の様子を示す図である。
【図７】（ａ）開口部から溝内に空気が入り込むとともに溝内の水が吸い出される図４のＡ部の様子を示す図である。
（ｂ）（ａ）よりも時間が経過した図４のＡ部の様子を示す図である。
（ｃ）（ｂ）よりも時間が経過した図４のＡ部の様子を示す図である。
（ｄ）（ｃ）よりも時間が経過した図４のＡ部の様子を示す図である。
（ｅ）（ｄ）よりも時間が経過した図４のＡ部の様子を示す図である。
【図８】溝内の排水が完了した図４のＡ部の様子を示す図である。
【符号の説明】
１０  筐体
１２  開口穴
１２ａ  斜面
１４  調圧膜
１６  Ｕ字溝（溝）
１６ａ  円弧状部
１６ｂ  開口部
１６ｃ  溝エッジ部
１８  カバー
２０  隙間
【図１】
2004319548.tif 000003
【図２】
2004319548.tif 000004
【図３】
2004319548.tif 000005
【図４】
2004319548.tif 000006
【図５】
2004319548.tif 000007
【図６】
2004319548.tif 000008
【図７】
2004319548.tif 000009
【図８】
2004319548.tif 000010